(57)【特許請求の範囲】
【請求項１】
１又は２以上の避雷器の耐用回数を記憶する、記憶部と、
１又は２以上のエリアに対応する第１の雷情報を取得する、情報取得部と、
所定の前記避雷器の設置位置を含む、対象エリアを特定し、前記第１の雷情報に基づいて、前記対象エリアに対応する第２の雷情報を生成する、情報生成部と、
前記第２の雷情報と、前記所定の避雷器に対応する前記耐用回数と、に基づいて、当該耐用回数を更新する、更新部と、
を備える管理装置。
【請求項２】
前記第１の雷情報は、第１の期間における、１又は２以上のエリアに対応する落雷実績情報、前記第１の期間とは異なる第２の期間に対応する落雷予報情報の少なくともいずれかを含み、
前記第２の雷情報は、前記第１の期間における、前記対象エリアに対応する落雷実績情報、前記第２の期間に対応する落雷予報情報の少なくともいずれかを含む、請求項１に記載の管理装置。
【請求項３】
前記耐用回数と、予め定めた避雷器交換条件とに基づいて、避雷器交換の要否を判定する、判定部と、
前記判定部の判定結果に基づいて、前記避雷器交換の通知を制御する、通知機能部と、
をさらに備える、請求項２に記載の管理装置。
【請求項４】
前記記憶部は、前記各避雷器に対応する第１の前記耐用回数をさらに記憶し、
前記更新部は、前記各避雷器に対応する前記第１の耐用回数と、前記第２の雷情報に含まれる前記第１の期間での落雷回数との差分を、前記避雷器毎に算出し、当該各避雷器の前記第１の耐用回数を更新し、
前記判定部は、更新された前記第１の耐用回数と、第１の前記避雷器交換条件に基づいて、避雷器交換の要否を判定する、請求項３に記載の管理装置。
【請求項５】
前記記憶部は、落雷予測回数テーブルと、前記各避雷器に対応する第２の前記耐用回数と、をさらに記憶し、
前記落雷予測回数テーブルは、前記第１の雷情報に含まれる、前記第２の期間に対応する落雷予報と、前記第２の期間における落雷予測回数とを対応付けたテーブルであり、
前記更新部は、前記各避雷器に対応する前記第２の耐用回数と、前記落雷予測回数と、に基づいて、当該各避雷器の前記第２の耐用回数を更新し、
前記判定部は、更新された前記第２の耐用回数と、第２の前記避雷器交換条件に基づいて、避雷器交換の要否を判定する、請求項３又は４に記載の管理装置。
【請求項６】
前記記憶部は、第１の落雷回数テーブルをさらに記憶し、
前記第１の落雷回数テーブルは、前記第１の期間より長く、かつ前記第２の期間より長い第３の期間毎の落雷回数を、前記対象エリア毎に蓄積したテーブルであり、
前記情報生成部は、前記第２の雷情報に含まれる落雷回数と、前記第１の落雷回数テーブルに含まれる第３の期間での落雷回数との合計を、前記対象エリア毎に算出し、前記第１の落雷回数テーブルを更新する、請求項３乃至５のいずれか一に記載の管理装置。
【請求項７】
前記記憶部は、第２の落雷回数テーブルと、前記各避雷器に対応する第３の前記耐用回数と、を記憶し、
前記第２の落雷回数テーブルは、前記第１の落雷回数テーブルに格納された落雷回数の統計値を含むテーブルであり、
前記更新部は、前記第３の耐用回数と、前記統計値と、に基づいて、前記第３の耐用回数を更新し、
前記判定部は、更新された前記第３の耐用回数と、第３の前記避雷器交換条件に基づいて、避雷器交換の要否を判定する、請求項６に記載の管理装置。
【請求項８】
第１のデータベースを備える、データベースサーバ装置と、
前記データベースサーバ装置とネットワークを介して接続する、管理装置と、
を含む管理システムであって、
前記第１のデータベースは、１又は２以上のエリアに対応する、第１の雷情報を格納し、
前記管理装置は、
１又は２以上の避雷器の耐用回数を記憶する、記憶部と、
前記データベースサーバ装置から前記第１の雷情報を取得する、情報取得部と、
所定の前記避雷器の設置位置を含む、対象エリアを特定し、前記第１の雷情報に基づいて、前記対象エリアに対応する第２の雷情報を生成する、情報生成部と、
前記第２の雷情報と、前記所定の避雷器に対応する、前記耐用回数と、に基づいて、当該耐用回数を更新する、更新部と、
を備える管理システム。
【請求項９】
１又は２以上の避雷器の耐用回数を記憶する記憶工程と、
１又は２以上のエリアに対応する第１の雷情報を取得する情報取得工程と、
所定の前記避雷器の設置位置を含む、対象エリアを特定し、前記第１の雷情報に基づいて、前記対象エリアに対応する第２の雷情報を生成する、情報生成工程と、
前記第２の雷情報と、前記所定の避雷器に対応する前記耐用回数と、に基づいて、当該耐用回数を更新する、更新工程と、
を含む管理方法。
【請求項１０】
管理装置を制御するコンピュータに実行させるプログラムであって、
１又は２以上の避雷器の耐用回数を記憶する記憶処理と、
１又は２以上のエリアに対応する第１の雷情報を取得する情報取得処理と、
所定の前記避雷器の設置位置を含む、対象エリアを特定し、前記第１の雷情報に基づいて、前記対象エリアに対応する第２の雷情報を生成する、情報生成処理と、
前記第２の雷情報と、前記所定の避雷器に対応する前記耐用回数と、に基づいて、当該耐用回数を更新する、更新処理と、
を実行するプログラム。
【発明の詳細な説明】
【技術分野】
【０００１】
本発明は、管理装置、管理システム、管理方法、及びプログラムに関する。
【背景技術】
【０００２】
機器が落雷等により故障することを防止するために、機器に避雷器を接続し、機器を保護する場合がある。しかし、一般的に、避雷器は、避雷器として機能する回数に限界がある。そして、所定の回数を越えて、避雷器に対して落雷があった場合、避雷器は故障してしまう。そこで、避雷器が故障する前に、避雷器が寿命であるか否か判定することが好ましい。
【０００３】
特許文献１においては、避雷器に流れるサージ電流に基づいて、サージを検出する技術が開示されている。そして、特許文献１に記載された技術では、サージを検出した回数に基づいて、避雷器の寿命を判定する。
【先行技術文献】
【特許文献】
【０００４】
【特許文献１】特開２０１１−０１９０６９号公報
【発明の概要】
【発明が解決しようとする課題】
【０００５】
なお、上記先行技術文献の開示を、本書に引用をもって繰り込むものとする。以下の分析は、本発明の観点からなされたものである。
【０００６】
上述の通り、避雷器が故障する前に、避雷器が寿命であるか否かを判定することが好ましい。
【０００７】
ここで、特許文献１に記載された技術では、避雷器がサージを検出する機能を備える必要がある。そのため、サージを検出する機能を有しない避雷器に対して、特許文献１に開示された技術を利用できない。つまり、特許文献１に開示された技術では、対象とする避雷器が限定される。
【０００８】
そこで、本発明は、避雷器の寿命を容易に管理することに貢献する管理装置、管理システム、管理方法、及びプログラムを提供することを目的とする。
【課題を解決するための手段】
【０００９】
本発明の第１の視点によれば、１又は２以上の避雷器の耐用回数を記憶する、記憶部と、１又は２以上のエリアに対応する第１の雷情報を取得する、情報取得部と、所定の前記避雷器の設置位置を含む、対象エリアを特定し、前記第１の雷情報に基づいて、前記対象エリアに対応する第２の雷情報を生成する、情報生成部と、前記第２の雷情報と、前記所定の避雷器に対応する前記耐用回数と、に基づいて、当該耐用回数を更新する、更新部と、を備える管理装置が提供される。
【００１０】
本発明の第２の視点によれば、第１のデータベースを備える、データベースサーバ装置と、前記データベースサーバ装置とネットワークを介して接続する、管理装置と、を含む管理システムであって、
前記第１のデータベースは、１又は２以上のエリアに対応する、第１の雷情報を格納し、
前記管理装置は、１又は２以上の避雷器の耐用回数を記憶する、記憶部と、前記データベースサーバ装置から前記第１の雷情報を取得する、情報取得部と、所定の前記避雷器の設置位置を含む、対象エリアを特定し、前記第１の雷情報に基づいて、前記対象エリアに対応する第２の雷情報を生成する、情報生成部と、前記第２の雷情報と、前記所定の避雷器に対応する、前記耐用回数と、に基づいて、当該耐用回数を更新する、更新部と、を備える管理システムが提供される。
【００１１】
本発明の第３の視点によれば、１又は２以上の避雷器の耐用回数を記憶する記憶工程と、１又は２以上のエリアに対応する第１の雷情報を取得する情報取得工程と、所定の前記避雷器の設置位置を含む、対象エリアを特定し、前記第１の雷情報に基づいて、前記対象エリアに対応する第２の雷情報を生成する、情報生成工程と、前記第２の雷情報と、前記所定の避雷器に対応する前記耐用回数と、に基づいて、当該耐用回数を更新する、更新工程と、を含む管理方法が提供される。
なお、本方法は、避雷器の耐用回数を管理する避雷器という、特定の機械に結び付けられている。
【００１２】
本発明の第４の視点によれば、管理装置を制御するコンピュータに実行させるプログラムであって、１又は２以上の避雷器の耐用回数を記憶する記憶処理と、１又は２以上のエリアに対応する第１の雷情報を取得する情報取得処理と、所定の前記避雷器の設置位置を含む、対象エリアを特定し、前記第１の雷情報に基づいて、前記対象エリアに対応する第２の雷情報を生成する、情報生成処理と、前記第２の雷情報と、前記所定の避雷器に対応する前記耐用回数と、に基づいて、当該耐用回数を更新する、更新処理と、を実行するプログラムが提供される。
なお、本プログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。本発明は、コンピュータプログラム製品として具現することも可能である。
【発明の効果】
【００１３】
本発明の各視点によれば、避雷器の寿命を容易に管理することに貢献する管理装置、管理システム、管理方法、及びプログラムが提供される。
【図面の簡単な説明】
【００１４】
【図１】一実施形態の概要を説明するための図である。
【図２】管理システム１０００の全体構成、及び管理装置１００の内部構成の一例を示すブロック図である。
【図３】第２のデータベース１４０の一例を示す図である。
【図４】避雷器情報テーブル１４１の一例を示す図である。
【図５】第１の落雷回数テーブル１４２の一例を示す図である。
【図６】第２の落雷回数テーブル１４３の一例を示す図である。
【図７】落雷予測回数テーブル１４４の一例を示す図である。
【図８】ユーザ情報テーブル１４５の一例を示す図である。
【図９】避雷器管理テーブル１４６の一例を示す図である。
【図１０】管理システム１０００の処理の一例を示すフローチャートである。
【図１１】管理システム１０００の処理の一例を示すフローチャートである。
【図１２】管理システム１０００の処理の一例を示すフローチャートである。
【図１３】管理システム１０００の処理の一例を示すフローチャートである。
【発明を実施するための形態】
【００１５】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１６】
上述の通り、避雷器の寿命を容易に管理することに貢献する管理装置が望まれる。
【００１７】
そこで、一例として図１に示す管理装置１を提供する。管理装置１は、記憶部１０と、情報取得部１１と、情報生成部１２と、更新部１３と、を備える。
【００１８】
記憶部１０は、１又は２以上の避雷器の耐用回数を記憶する。例えば、耐用回数は、当該避雷器が機能する限界の能力を意味する。ここで、記憶部１０が、２以上の避雷器について耐用回数を記憶している場合、各避雷器の耐用回数を記憶するものとする。
【００１９】
情報取得部１１は、１又は２以上のエリアに対応する第１の雷情報を取得する。第１の雷情報とは、１又は２以上のエリアにおける落雷に関する情報を意味する。
【００２０】
情報生成部１２は、所定の避雷器の設置位置を含む、対象エリアを特定し、第１の雷情報に基づいて、対象エリアに対応する第２の雷情報を生成する。ここで、対象エリアとは、第１の雷情報における、１又は２以上のエリアのうちの一つのエリアであると共に、避雷器の設置位置を含むエリアである。また、第２の雷情報とは、第１の雷情報から抽出された落雷に関する情報であるとともに、対象エリアに対応する、落雷に関する情報である。なお、記憶部１０が、２以上の避雷器について耐用回数を記憶している場合、情報生成部１２は、各避雷器に対応する、対象エリアを特定する。
【００２１】
そして、情報生成部１２は、第１の雷情報から対象エリアに対応する、落雷に関する情報を抽出し、抽出した情報に基づいて第２の雷情報を生成する。ここで、第２の雷情報は、情報の形式、情報量等が、第１の雷情報から抽出された情報とは異なっていても良い。
【００２２】
更新部１３は、第２の雷情報と、所定の避雷器に対応する耐用回数と、に基づいて、当該耐用回数を更新する。ここで、記憶部１０が、２以上の避雷器について耐用回数を記憶している場合、更新部１３は、各避雷器について、夫々、耐用回数を更新する。
【００２３】
従って、管理装置１を利用すれば、各避雷器が、当該避雷器に対する落雷の有無を検出する必要がない。また、避雷器の管理者は、管理装置１を利用すれば、各避雷器に対する落雷の有無を確認する必要がない。なぜなら、管理装置１が、自動的に、落雷に関する情報を取得し、各避雷器の耐用回数を算出するからである。従って、管理装置１は、避雷器の寿命を容易に管理することに貢献する。
【００２４】
［第１の実施形態］
第１の実施形態について、図面を用いてより詳細に説明する。
【００２５】
図２は、管理システム１０００の全体構成、及び管理装置１００の内部構成を示すブロック図である。
【００２６】
まず、管理システム１０００の全体構成について説明する。
【００２７】
管理システム１０００は、管理装置１００と、データベースサーバ装置２００と、ユーザ端末３００と、を含んで構成される。なお、図２においては、１つのデータベースサーバ装置２００を示しているが、管理システム１０００は、２以上のデータベースサーバ装置２００を含んで構成されても良い。同様に、図２においては、１つのユーザ端末３００を示しているが、管理システム１０００は、２以上のユーザ端末３００を含んで構成されても良い。図２は、管理システム１０００の全体構成を、図２に示す構成に限定する趣旨ではない。
【００２８】
管理装置１００と、データベースサーバ装置２００と、ユーザ端末３００とは、ネットワーク４００を介して接続する。ネットワーク４００は、インターネット、ＬＡＮ（Local Area Network）等を含む。ネットワークは各種の方式が存在するが、その詳細は問わない。
【００２９】
データベースサーバ装置２００は、１又は２以上のエリアに対応する第１の雷情報を管理する。具体的には、データベースサーバ装置２００は、第１のデータベース２０１を含んで構成される。第１のデータベース２０１は、１又は２以上のエリアに対応する、第１の雷情報を格納する。
【００３０】
例えば、データベースサーバ装置２００は、気象情報を提供するＷｅｂサイト（以下、気象情報サイトと呼ぶ）を管理する、情報処理装置であっても良い。例えば、データベースサーバ装置２００は、気象庁の気象情報サイトを管理する、情報処理装置であっても良い。または、データベースサーバ装置２００は、民間企業の気象情報サイトを管理する、情報処理装置であっても良い。
【００３１】
ユーザ端末３００は、避雷器を管理、保有するユーザが所持する、情報処理装置である。例えば、ユーザ端末３００は、携帯電話、スマートフォン、タブレット端末、ＰＣ（Personal Computer）等であっても良い。ユーザ端末３００は、管理装置１００からの通知を受信できれば良く、その詳細は問わない。
【００３２】
管理装置１００は、１又は２以上の避雷器の耐用回数を管理する。そして、管理装置１００は、予め定めた条件（以下、避雷器交換条件とも呼ぶ）に基づいて、避雷器の交換の要否を判定する。そして、管理装置１００は、避雷器の交換が必要と判断した場合、当該避雷器を管理するユーザのユーザ端末３００に、避雷器を交換するように通知する。ここで、管理装置１００は、管理対象の避雷器と通信等を行う必要はない。また、管理システム１０００においては、避雷器に、現実に落雷したか否かを監視、検出する必要はない。
【００３３】
次に、管理装置１００の内部構成について説明する。
【００３４】
管理装置１００は、通信部１１０と、記憶部１２０と、制御部１３０と、を含んで構成される。制御部１３０は、情報取得部１３１と、情報生成部１３２と、更新部１３３と、判定部１３４と、通知機能部１３５と、を含んで構成される。図２は、本実施形態に係る管理装置１００に関係するモジュールを主に記載する。
【００３５】
図２に示す各モジュールは、管理装置１００に搭載されたコンピュータに、そのハードウェアを用いて、管理装置１００の処理を実行させるコンピュータプログラムにより実現しても良い。
【００３６】
通信部１１０は、ネットワーク４００を介して、データベースサーバ装置２００、及びユーザ端末３００と接続する。
【００３７】
記憶部１２０は、管理装置１００の動作に必要な情報を記憶する。図示しないが、記憶部１２０は、計算のための一時記憶領域を含むものとする。また、記憶部１２０は、避雷器に関する情報を記憶する。具体的には、記憶部１２０は、１又は２以上の避雷器の耐用回数、設置位置等を記憶する。
【００３８】
また、記憶部１２０は、第２の雷情報を記憶する。第２の雷情報は、第１の期間における、対象エリアに対応する落雷実績情報、第２の期間に対応する落雷予報情報の少なくともいずれかを含む。ここで、第１の期間とは、第１の雷情報の生成以前の期間であるものとする。そして、落雷実績情報とは、実際に発生した落雷（発雷を含む）に関する情報である。また、第２の期間とは、第１の雷情報の生成後の期間であるものとする。そして落雷予報情報とは、今後の落雷（発雷を含む）予測に関する情報である。ここで、第１の期間と、第２の期間とは異なる期間であるものとする。例えば、第１の期間を１日とし、第２の期間を１週間としても良い。
【００３９】
また、記憶部１２０は、避雷器毎に、第１の耐用回数と、第２の耐用回数と、第３の耐用回数と、を記憶する。
【００４０】
第１の耐用回数は、第１の期間での落雷回数に基づいて算出される、耐用回数である。第２の耐用回数は、第２の期間に対応する落雷予報に基づいて算出される、耐用回数である。また、第３の耐用回数は、第３の期間毎の落雷回数の統計値に基づいて算出される、耐用回数である。ここで、第３の期間は、第１の期間より長く、かつ第２の期間より長い期間を意味する。なお、以下、第１の耐用回数を、「現在の耐用回数」とも呼ぶ。また、以下、第２の耐用回数を、「予想耐用回数（短期）」とも呼ぶ。また、以下、第３の耐用回数を、「予想耐用回数（長期）」とも呼ぶ。
【００４１】
さらに、記憶部１２０は、第２のデータベース１４０を記憶する。第２のデータベース１４０は、各種のテーブルを含んで構成される。第２のデータベース１４０の詳細については後述する。
【００４２】
制御部１３０は、管理装置１００の全体を制御すると共に、図２に示す各モジュールを制御する。
【００４３】
次に、制御部１３０の内部構成について、詳細に説明する。
【００４４】
情報取得部１３１は、１又は２以上のエリアに対応する第１の雷情報を取得する。具体的には、情報取得部１３１は、データベースサーバ装置２００から、第１の雷情報を取得する。ここで、第１の雷情報は、第１の期間における、１又は２以上のエリアに対応する落雷実績情報、第１の期間とは異なる第２の期間に対応する落雷予報情報の少なくともいずれかを含む。
【００４５】
例えば、データベースサーバ装置２００が、気象情報サイトを管理しているとする。その場合、情報取得部１３１は、データベースサーバ装置２００が管理する気象情報サイトにアクセスし、当該気象情報サイトで提供される落雷に関する情報を、第１の雷情報として取得しても良い。
【００４６】
ここで、第１の雷情報は、管理装置１００を対象として提供される情報でなくても良い。つまり、第１の雷情報は、第２のデータベース１４０とは独立した形式（データフォーマット）であっても良い。
【００４７】
また、第１の雷情報は、提供元に応じて、異なる内容、異なる形式であっても良い。例えば、一のデータベースサーバ装置２００から取得される落雷予報情報は、発雷の可能性を「高／中／低／無」の４段階で表現した情報であっても良い。また、他のデータベースサーバ装置２００から取得される落雷予報情報は、発雷の可能性を数値で表現した情報であっても良い。そして、情報取得部１３１は、これらの異なる形式の落雷予報情報を、夫々、第１の雷情報として取得しても良い。
【００４８】
情報生成部１３２は、所定の避雷器の設置位置を含む、対象エリアを特定し、第１の雷情報に基づいて、対象エリアに対応する第２の雷情報を生成する。具体的には、情報生成部１３２は、対象エリアに対応する落雷実績情報、落雷予報情報等を、第１の雷情報から抽出する。そして、情報生成部１３２は、第２のデータベース１４０に含まれる各種テーブルに適合するように、抽出した情報を集計、情報の形式変更（データフォーマット変更）等を実行する。
【００４９】
ここで、図３を参照して、第２のデータベース１４０について詳細に説明する。
【００５０】
図３に示すように、第２のデータベース１４０は、避雷器情報テーブル１４１と、第１の落雷回数テーブル１４２と、第２の落雷回数テーブル１４３と、落雷予測回数テーブル１４４と、ユーザ情報テーブル１４５と、避雷器管理テーブル１４６とを含んで構成される。
【００５１】
まず、避雷器情報テーブル１４１について説明する。
【００５２】
避雷器情報テーブル１４１は、避雷器の機種を識別する情報（以下、機種識別情報と呼ぶ）と、各避雷器に対応する第１の耐用回数と、を対応付けたテーブルである。
【００５３】
例えば、機種識別情報は、避雷器の型名等であっても良い。例えば、機種識別情報は、メーカの型名であっても良い。または、管理装置１００の管理者等が、避雷器の機種毎に、独自の機種識別情報を割り当てても良い。
【００５４】
ここで、初期状態（即ち、出荷時）の耐用回数は、避雷器の仕様に応じて異なる。そのため、管理装置１００の管理者等が、避雷器の仕様に基づいて予め設定された耐用回数を、初期状態での耐用回数として設定しても良い。
【００５５】
または、管理装置１００の管理者等は、避雷器の保護性能に応じて、任意の回数を耐用回数として設定しても良い。例えば、管理装置１００の管理者等は、避雷器の保護性能が１ｋＶ以下である場合、初期状態での耐用回数を１０回と設定しても良い。また、管理装置１００の管理者等は、避雷器の保護性能が１ｋＶより大きく３ｋＶ以下である場合、初期状態での耐用回数を３０回と設定しても良い、また、管理装置１００の管理者等は、避雷器の保護性能が３ｋＶより大きく５ｋＶ以下である場合、初期状態での耐用回数を５０回と設定しても良い。または、管理装置１００の管理周等は、管理対象の避雷器について性能試験を実施して、耐用回数を決定しても良い。
【００５６】
管理装置１００の管理者等は、管理対象として避雷器を追加する場合、機種識別情報と、初期状態における耐用回数とを設定する。そして、制御部１３０は、機種識別情報と、初期状態における耐用回数とに基づいて、追加する避雷器のエントリを、避雷器情報テーブル１４１に追加する。
【００５７】
図４は、避雷器情報テーブル１４１の一例を示す図である。図４に示す避雷器情報テーブル１４１は、避雷器の型名と、耐用回数とを対応付けたテーブルである。図４に示す避雷器情報テーブル１４１のように、記憶部１２０が、各避雷器の型名に応じた耐用回数を記憶するとする。その場合、管理装置１００は、避雷器の性能に応じて、耐用回数を管理できる。
【００５８】
次に、第１の落雷回数テーブル１４２について説明する。
【００５９】
第１の落雷回数テーブル１４２は、第１の期間より長く、かつ第２の期間より長い第３の期間毎（例えば、１ヶ月毎）の落雷回数を、対象エリア毎に蓄積するテーブルである。管理装置１００は、第１の落雷回数テーブル１４２を、後述する第２の落雷回数テーブル１４３を更新する際に使用する。例えば、第１の落雷回数テーブル１４２は、第３の期間毎（例えば、１ヶ月毎）の落雷回数を、対象エリア毎に、所定の期間（例えば、５年）に相当する落雷回数を蓄積する。
【００６０】
具体的には、情報生成部１３２は、第１の雷情報から、第１の期間に対応する落雷回数を抽出する。そして、情報生成部１３２は、第１の雷情報から抽出した落雷回数を、第１の落雷回数テーブル１４２に登録する。具体的には、情報生成部１３２は、第２の雷情報に含まれる落雷回数と、第１の落雷回数テーブル１４２に含まれる第３の期間での落雷回数との合計を、前記対象エリア毎に算出し、第１の落雷回数テーブル１４２を更新する。
【００６１】
図５は、第１の落雷回数テーブル１４２の一例を示す図である。図５に示す第１の落雷回数テーブル１４２は、エリア名と、月毎の落雷回数とを対応付けたテーブルである。つまり、図５に示す第１の落雷回数テーブル１４２は、対象エリアを識別するための情報と、月毎の落雷回数とを対応付けたテーブルである。図５に示すように、記憶部１２０は、２年以上の月毎の落雷回数を、第１の落雷回数テーブル１４２に蓄積しても良い。
【００６２】
なお、図５においては、対象エリアを識別するための情報を、エリア名としているが、これは、対象エリアを識別するための情報を、エリア名に限定する趣旨ではない。対象エリアを識別するための情報は、エリア名、エリアコード等であっても良く、対象エリアを識別できれば、その詳細は問わない。なお、以下、対象エリアを識別するための情報を、対象エリア識別情報と呼ぶ。
【００６３】
次に、第２の落雷回数テーブル１４３について説明する。
【００６４】
第２の落雷回数テーブル１４３は、第３の期間毎における、対象エリア毎の落雷回数を示すテーブルである。具体的には、第２の落雷回数テーブル１４３は、第１の落雷回数テーブル１４２に格納された落雷回数の統計値を含むテーブルである。管理装置１００は、第２の落雷回数テーブル１４３を、第３の耐用回数を算出するために利用する。
【００６５】
より具体的には、第２の落雷回数テーブル１４３は、対応する第３の期間毎に、第１の落雷回数テーブル１４２に格納された落雷回数の統計値を含むテーブルである。例えば、第１の落雷回数テーブル１４２に、月毎の落雷回数が、対象エリア毎に蓄積されており、２年以上の期間に相当する期間の落雷回数が蓄積されているとする。その場合、第２の落雷回数テーブル１４３には、対象エリア毎に、落雷回数の月毎の平均が格納されていても良い。
【００６６】
具体的には、情報生成部１３２は、第１の落雷回数テーブル１４２を更新した場合、更新後の第１の落雷回数テーブル１４２に基づいて、第２の落雷回数テーブル１４３を更新することが好ましい。より具体的には、情報生成部１３２は、第１の落雷回数テーブル１４２を更新した場合、対応する第３の期間に対応する、第２の落雷回数テーブル１４３に登録された落雷回数の統計値（平均値等）を更新することが好ましい。
【００６７】
図６は、第２の落雷回数テーブル１４３の一例を示す図である。図６に示す第２の落雷回数テーブル１４３は、エリア名と平均落雷実績回数とを対応づけたテーブルである。つまり、図６に示す第２の落雷回数テーブル１４３は、対象エリア識別情報と、平均落雷実績回数とを対応付けたテーブルである。ここで、平均落雷実績回数とは、所定の第３の期間毎に対応する、落雷回数の平均値を意味する。
【００６８】
例えば、図５に示すように、記憶部１２０は、２年以上の落雷回数を、月毎に蓄積した第１の落雷回数テーブル１４２に記憶しているとする。その場合、情報生成部１３２は、月毎の落雷回数の平均値を、平均落雷実績回数として算出しても良い。
【００６９】
なお、図５は、第２の落雷回数テーブル１４３に登録される落雷回数の統計値を、落雷回数の平均値に限定する趣旨ではない。情報生成部１３２は、落雷回数の統計値として、落雷回数の最大値、落雷回数の中間値等を算出しても良い。そして、記憶部１２０は、落雷回数の最大値、落雷回数の中間値等を、第２の落雷回数テーブル１４３に登録しても良い。なお、本書においては、説明のため、落雷回数の統計値として、平均落雷実績回数を例示して説明する。
【００７０】
次に、落雷予測回数テーブル１４４について説明する。
【００７１】
落雷予測回数テーブル１４４は、第１の雷情報に含まれる、第２の期間に対応する落雷予報情報と、第２の期間における落雷予測回数とを対応付けたテーブルである。情報生成部１３２は、第１の雷情報に含まれる落雷予報情報と、落雷予測回数テーブル１４４とに基づいて、落雷予測回数を算出する。
【００７２】
図７は、落雷予測回数テーブル１４４の一例を示す図である。例えば、情報取得部１３１が、発雷の可能性を「１」〜「４」の４段階で表現した情報を、第１の雷情報として取得したとする。そして、情報生成部１３２は、落雷予測回数テーブル１４４を参照し、第１の雷情報に含まれる発雷の可能性を、落雷予測回数に変換する。例えば、情報取得部１３１が、発雷の可能性を「４」とする、第１の雷情報を取得したとする。その場合、情報生成部１３２は、落雷予測回数テーブル１４４を参照し、発雷の可能性「４」を、落雷予測回数２回に変換する。そして、情報生成部１３２は、落雷予測回数２回とする情報を含む、第２の雷情報を生成する。
【００７３】
次に、ユーザ情報テーブル１４５について説明する。
【００７４】
ユーザ情報テーブル１４５は、ユーザに関する情報を含むテーブルである。例えば、ユーザ情報テーブル１４５は、ユーザを識別するための情報（以下、ユーザ識別情報と呼ぶ）と、当該ユーザの連絡先等とを対応付けたテーブルであっても良い。ユーザ識別情報は、ユーザの名称、ユーザの略称、ユーザＩＤ等であっても良く、ユーザを識別可な情報であれば、その詳細は問わない。また、ユーザの連絡先は、ユーザの電子メール、ユーザ端末３００の識別コード等であっても良く、その詳細は問わない。
【００７５】
図８は、ユーザ情報テーブル１４５の一例を示す図である。図８に示すユーザ情報テーブル１４５は、ユーザ名と、連絡先（メールアドレス）とを対応付けたテーブルである。なお、図８は、ユーザ情報テーブル１４５を、図８に示す形式に限定する趣旨ではない。例えば、ユーザ情報テーブル１４５は、ユーザの電話番号、住所等、適宜必要な情報を含んでも良いことは勿論である。
【００７６】
次に、避雷器管理テーブル１４６について説明する。
【００７７】
避雷器管理テーブル１４６は、各避雷器の耐用回数を管理するテーブルである。具体的には、避雷器管理テーブル１４６は、第１の耐用回数、第２の耐用回数、第３の耐用回数、交換要否のフラグ等を対応付けたテーブルである。より具体的には、避雷器管理テーブル１４６は、対象物識別情報、ユーザ識別情報、対象エリア識別情報、第１の耐用回数、第２の耐用回数、第３の耐用回数、交換要否のフラグ等を含んで構成される。
【００７８】
なお、避雷器管理テーブル１４６は、設置（交換）日を含んでも良い。設置（交換）日は、避雷器を設置、又は交換したことを示す情報である。設置（交換）日は、管理装置１００において必須の情報ではないが、避雷器の管理を支援する情報である。このように、避雷器管理テーブル１４６は、適宜、必要な情報を含んで構成されていても良い。
【００７９】
管理装置１００は、第１の耐用回数、第２の耐用回数、第３の耐用回数等を更新する際に、避雷器管理テーブル１４６を利用する。また、管理装置１００は、避雷器の交換要否を判断する際に、避雷器管理テーブル１４６を利用する。
【００８０】
図９は、避雷器管理テーブル１４６の一例を示す図である。図９に示す避雷器管理テーブル１４６は、対象物識別情報と、ユーザ識別情報と、対象エリア識別情報と、設置（交換）日と、耐用回数と、判定対象フラグと、要交換フラグと、を対応付けたテーブルである。そして、図９に示す避雷器管理テーブル１４６は、対象物識別情報として、避雷器番号と、型名とを含む。また、図９に示す避雷器管理テーブル１４６は、ユーザ識別情報として、ユーザ名を含む。また、図９に示す避雷器管理テーブル１４６は、耐用回数として、現在の耐用回数と、予想耐用回数（短期）と、予想耐用回数（長期）とを含む。
【００８１】
ここで、判定対象フラグとは、避雷器を判定部１３４の判定対象とするか否かを示すフラグである。図９に示す避雷器管理テーブル１４６においては、判定部１３４の判定対象である避雷器を、判定対象フラグ「１」として示し、判定部１３４の判定対象ではない避雷器を、判定対象フラグ「０」として示す。
【００８２】
つまり、図９は、避雷器番号「Ａ１」の避雷器は、判定部１３４の判定対象であることを示す。一方、図９は、避雷器番号「Ｂ２」の避雷器、及び避雷器番号「Ｃ３」の避雷器は、判定部１３４の判定対象ではないことを示す。なお、判定フラグの設定、及び判定部１３４の判定処理の詳細については後述する。
【００８３】
また、要交換フラグとは、交換を必要とする避雷器であるか否かを示すフラグである。図９に示す避雷器管理テーブル１４６においては、交換を必要とする避雷器を、要交換フラグ「１」として示し、交換を必要としない避雷器を、要交換フラグ「０」として示す。
【００８４】
つまり、図９は、避雷器番号「Ｃ３」の避雷器は、交換を必要とする避雷器であることを示す。一方、図９は、避雷器番号「Ａ１」の避雷器、及び避雷器番号「Ｂ２」の避雷器は、交換を必要としない避雷器であることを示す。
【００８５】
次に、更新部１３３について説明する。
【００８６】
更新部１３３は、第２の雷情報と、所定の避雷器に対応する耐用回数と、に基づいて、当該耐用回数を更新する。
【００８７】
具体的には、更新部１３３は、各避雷器に対応する第１の耐用回数と、第２の雷情報に含まれる第１の期間での落雷回数との差分を、避雷器毎に算出し、当該各避雷器の第１の耐用回数を更新する。
【００８８】
より具体的には、更新部１３３は、避雷器管理テーブル１４６を参照し、各避雷器に対応する第１の耐用回数を取得する。そして、更新部１３３は、取得した第１の耐用回数と、第２の雷情報に含まれる第１の期間での落雷回数との差分を算出する。そして、更新部１３３は、算出された差分値を、避雷器管理テーブル１４６の参照時点（本書では、「現時点」とも呼ぶ）における、耐用回数であるとして、第１の耐用回数を更新する。つまり、管理装置１００は、対象エリアに落雷があったとの情報を取得した場合、対象エリア内の避雷器に落雷があったと仮定して、耐用回数を低減する。
【００８９】
また、更新部１３３は、各避雷器に対応する第２の耐用回数と、落雷予測回数と、に基づいて、当該各避雷器の第２の耐用回数を更新する。具体的には、更新部１３３は、各避雷器に対応する第２の耐用回数と、対応する対象エリアの落雷予測回数との差分を算出し、当該避雷器の第２の耐用回数を更新する。
【００９０】
より具体的には、更新部１３３は、避雷器管理テーブル１４６を参照し、各避雷器に対応する第２の耐用回数を取得する。そして、更新部１３３は、取得した第２の耐用回数と、第２の雷情報に含まれる落雷予測回数と、の差分を算出する。そして、更新部１３３は、算出された差分値を、現時点から第２の期間までの耐用回数であるとして、第２の耐用回数を更新する。なお、本書では、避雷器管理テーブル１４６の参照時点から、第２の期間までの期間を「短期間」とも呼ぶ。
【００９１】
また、更新部１３３は、第２の雷情報に含まれる落雷回数と、第１の落雷回数テーブル１４２に含まれる第３の期間での落雷回数との合計を、対象エリア毎に算出し、第１の落雷回数テーブル１４２を更新する。具体的には、更新部１３３は、第３の耐用回数と、第２の落雷回数テーブル１４３に登録された落雷回数と、に基づいて、第３の耐用回数を更新する。
【００９２】
より具体的には、更新部１３３は、避雷器管理テーブル１４６を参照し、各避雷器に対応する第３の耐用回数を取得する。そして、更新部１３３は、取得した第３の耐用回数と、第２の落雷回数テーブル１４３に登録された落雷回数と、の差分を算出する。そして、更新部１３３は、算出された差分値を、現時点から、対応する第３の期間までの耐用回数であるとして、第３の耐用回数を更新する。なお、本書では、避雷器管理テーブル１４６の参照時点から、第３の期間を超える期間を「長期間」とも呼ぶ。
【００９３】
次に、判定部１３４について説明する。
【００９４】
判定部１３４は、耐用回数と、予め定めた避雷器交換条件とに基づいて、避雷器交換の要否を判定する。具体的には、判定部１３４は、更新された第１の耐用回数と、第１の避雷器交換条件に基づいて、避雷器交換の要否を判定しても良い。より具体的には、判定部１３４は、第１の耐用回数が、予め定めた第１の避雷器交換条件を満たす場合、避雷器交換の通知が必要と判定しても良い。
【００９５】
また、判定部１３４は、更新された第２の耐用回数と、第２の避雷器交換条件に基づいて、避雷器交換の要否を判定しても良い。より具体的には、判定部１３４は、第２の耐用回数が、予め定めた第２の避雷器交換条件を満たす場合、避雷器交換の通知が必要と判定しても良い。
【００９６】
また、判定部１３４は、更新された第３の耐用回数と、第３の避雷器交換条件に基づいて、避雷器交換の要否を判定しても良い。より具体的には、判定部１３４は、第３の耐用回数が、予め定めた第３の避雷器交換条件を満たす場合、避雷器交換の通知が必要と判定しても良い。
【００９７】
また、判定部１３４は、第１〜第３の避雷器交換条件の少なくともいずれかが満たされた場合、避雷器交換を通知するとしても良い。例えば、判定部１３４は、以下の第１〜第３の避雷器交換条件（以下の式１〜３）に基づいて、避雷器交換の要否を判定しても良い。ここで、以下の式１〜３は、夫々、第１〜第３の避雷器交換条件に相当するものとする。なお、以下の式１〜３は、第１〜第３の避雷器交換条件の一例であり、第１〜第３の避雷器交換条件を以下の式１〜３に限定する趣旨ではない。
【数１】
0006008407.tif 000002
【数２】
0006008407.tif 000003
【数３】
0006008407.tif 000004
【００９８】
次に、通知機能部１３５について説明する。通知機能部１３５は、判定部１３４の判定結果に基づいて、避雷器交換の通知を制御する。具体的には、通知機能部１３５は、判定部１３４の判定結果に基づいて、ユーザ端末３００に避雷器交換を通知する。また、通知機能部１３５は、避雷器交換の通知先の選定を行う。また、通知機能部１３５は、避雷器の交換を指示する文書を生成する。
【００９９】
次に、管理システム１０００の動作について説明する。なお、上述の通り、上記の第１の耐用回数を、「現在の耐用回数」とも呼ぶ。また、上記の第２の耐用回数を、「予想耐用回数（短期）」とも呼ぶ。また、上記の第３の耐用回数を、「予想耐用回数（長期）」とも呼ぶ。
【０１００】
図１０は、「現在の耐用回数」の更新処理の一例を示すフローチャートである。
【０１０１】
まず、ステップＳ５０１において、通信部１１０は、データベースサーバ装置２００に落雷実績情報を要求する。具体的には、通信部１１０は、１又は２以上のエリアに対応する、落雷実績情報を含む、第１の雷情報を、データベースサーバ装置２００に要求する。
【０１０２】
ステップＳ５０２において、データベースサーバ装置２００は、落雷実績情報を管理装置１００に送信する（ステップＳ５０１−１）。具体的には、データベースサーバ装置２００は、１又は２以上のエリアに対応する、落雷実績情報を含む、第１の雷情報を、管理装置１００に送信する。そして、通信部１１０は、データベースサーバ装置２００から落雷実績情報を受信し、受信した落雷実績情報を制御部１３０に伝達する（ステップＳ５０３）。そして、情報生成部１３２は、第１の雷情報に基づいて、対象エリアに対応する第２の雷情報を生成する。そして、制御部１３０は、第２の雷情報を記憶部１２０の一時記憶領域に格納する。
【０１０３】
ステップＳ５０４において、制御部１３０は、第１の落雷回数テーブル１４２の更新を、更新部１３３に指示する。ステップＳ５０５において、更新部１３３は、第１の落雷回数テーブル１４２を更新し、所定の第３の期間における、対象エリアに対応する、落雷回数に加算し、第１の落雷回数テーブル１４２を更新する。具体的には、記憶部１２０は、更新部１３３からの指示に基づいて、第１の落雷回数テーブル１４２を更新する（ステップＳ５０５−１）。
【０１０４】
ステップＳ５０６において、制御部１３０は、更新部１３３に対して、「現在の耐用回数」の更新を指示する。具体的には、制御部１３０は、更新部１３３に対して、落雷があったとする、落雷実績情報に対応する、対象エリアを抽出するように指示する。さらに、制御部１３０は、更新部１３３に対して、「現在の耐用回数」の更新を指示する。
【０１０５】
ステップＳ５０７において、更新部１３３は、第２のデータベース１４０を参照し、対象エリアの避雷器の「現在の耐用回数」を減算し、「現在の耐用回数」を更新する。具体的には、記憶部１２０は、更新部１３３からの指示に基づいて、避雷器管理テーブル１４６を更新する（ステップＳ５０７−１）。
【０１０６】
より具体的には、更新部１３３は、第２の雷情報が記憶された、一時記憶領域を参照する。そして、更新部１３３は、落雷があったとする、落雷実績情報に対応する対象エリアの避雷器を、避雷器管理テーブル１４６から抽出する。そして、更新部１３３は、抽出した避雷器の「現在の耐用回数」を、避雷器管理テーブル１４６に登録された「現在の耐用回数」から減算する。そして、更新部１３３は、避雷器管理テーブル１４６において、抽出した避雷器の「現在の耐用回数」を更新する。
【０１０７】
次に、更新部１３３は、第２の落雷回数テーブル１４３を参照し、第３の期間における、対象エリアの平均落雷実績回数を抽出する。そして、更新部１３３は、落雷があったとする、落雷実績情報に対応する、対象エリアの避雷器の「現在の耐用回数」から、抽出した平均落雷実績回数を減算する。そして、更新部１３３は、避雷器管理テーブル１４６において、当該避雷器の「予想耐用回数（長期）」を更新する。さらに、更新部１３３は、避雷器管理テーブル１４６において、判定対象フラグを立てる。
【０１０８】
次に、落雷があったとする、落雷実績情報に対応する対象エリアを抽出したか否かを、更新部１３３は判断する。例えば、更新部１３３は、落雷があったとする、落雷実績情報に対応する対象エリアを、全ての対象エリアから抽出したか否かを、更新部１３３は判断しても良い。該当する全ての対象エリアを抽出した場合には、図１１に示すステップＳ５０８に遷移する。一方、該当する全ての対象エリアを抽出していない場合には、更新部１３３は、ステップＳ５０７の処理を繰り返す。
【０１０９】
次に、避雷器交換の要否を判定する処理について説明する。
【０１１０】
図１１は、避雷器交換の要否を判定する処理の一例を示すフローチャートである。
【０１１１】
ステップＳ５０８において、制御部１３０は、判定部１３４に対して、判定処理を指示する。そして、ステップＳ５０９において、判定部１３４は、避雷器管理テーブル１４６から、判定対象の避雷器を抽出する。具体的には、判定部１３４は、避雷器管理テーブル１４６を参照し、判定対象フラグの立っている避雷器を抽出する。
【０１１２】
ステップＳ５１０において、判定部１３４は、現在の耐用回数を判定する。具体的には、「現在の耐用回数」が、第１の避雷器交換条件を満たすか否かを、判定部１３４は判断する。「現在の耐用回数」が、第１の避雷器交換条件を満たす場合(ステップＳ５１０のＹｅｓ分岐)には、判定部１３４は、避雷器管理テーブル１４６において、当該避雷器の要交換フラグを立てる（ステップＳ５１１）。そして、記憶部１２０は、判定部１３４からの指示に基づいて、避雷器管理テーブル１４６を更新する。一方、「現在の耐用回数」が第１の避雷器交換条件を満たさない場合（ステップＳ５１０のＮｏ分岐）には、ステップＳ５１２に遷移する。
【０１１３】
ステップＳ５１２において、判定部１３４は、「予想耐用回数（長期）」を判定する。具体的には、「予想耐用回数（長期）」が、第３の避雷器交換条件を満たすか否かを、判定部１３４は判断する。「予想耐用回数（長期）」が、第３の避雷器交換条件を満たす場合（ステップＳ５１２のＹｅｓ分岐）には、判定部１３４は、避雷器管理テーブル１４６において、当該避雷器の要交換フラグを立てる（ステップＳ５１１）。一方、「予想耐用回数（長期）」が、第３の避雷器交換条件を満たさない場合（ステップＳ５１２のＮｏ分岐）には、判定対象の避雷器を変更し、ステップＳ５１０の処理を繰り返す。
【０１１４】
次に、ステップＳ５１３において、制御部１３０は、通知機能部１３５に対して、通知処理を指示する。そして、第１の避雷器交換条件、又は第３の避雷器交換条件を満たす避雷器がある場合、通知機能部１３５は、ユーザ端末３００に避雷器交換を通知する（ステップＳ５１４）。具体的には、通知機能部１３５は、避雷器管理テーブル１４６において、要交換フラグの立っている避雷器を抽出する。次に、通知機能部１３５は、ユーザ情報テーブル１４５を参照し、抽出した避雷器のユーザ名をキーとして、当該ユーザの連絡先を抽出する。ここで、通知機能部１３５は、ユーザ端末３００に、避雷器を交換するようにメッセージ（電子メール等）を送信するとする。その場合、通知機能部１３５は、要交換フラグの立っている避雷器を交換するように通知するメッセージを作成する。そして、通知機能部１３５は、作成したメッセージを抽出した連絡先に対して送信する。
【０１１５】
次に、ステップＳ５１５において、制御部１３０は、判定対象フラグ、及び要交換フラグを消去する。具体的には、制御部１３０は、避雷器管理テーブル１４６において、判定対象フラグの立っている避雷器について、判定対象フラグ、及び「要交換フラグ」を消去する。
【０１１６】
次に、「予想耐用回数（短期）」の更新処理について説明する。
【０１１７】
図１２は、「予想耐用回数（短期）」の更新処理の一例を示すフローチャートである。
【０１１８】
ステップＳ６０１において、通信部１１０は、データベースサーバ装置２００に、雷予報情報を要求する。具体的には、通信部１１０は、１又は２以上のエリアに対応する、雷予報情報を含む、第１の雷情報を、データベースサーバ装置２００に要求する。
【０１１９】
ステップＳ６０２において、データベースサーバ装置２００は、雷予報情報を管理装置１００に送信する（ステップＳ６０１−１）。具体的には、データベースサーバ装置２００は、１又は２以上のエリアに対応する、雷予報情報を含む第１の雷情報を、管理装置１００に送信する。そして、通信部１１０は、データベースサーバ装置２００から雷予報情報を受信し（ステップＳ６０２）、受信した雷予報情報を制御部１３０に伝達する（ステップＳ６０３）。そして、情報生成部１３２は、第１の雷情報に基づいて、対象エリアに対応する第２の雷情報を生成する。そして、制御部１３０は、第２の雷情報を記憶部１２０の一時記憶領域に格納する。なお、図１０に示すステップＳ５０１〜ステップＳ５０３と、図１２に示すステップＳ６０１〜ステップＳ６０３とを同時に実行しても良い。つまり、管理装置１００は、落雷実績情報と、雷予報情報とを含む第１の雷情報を、データベースサーバ装置２００から取得しても良い。
【０１２０】
ステップＳ６０４において、制御部１３０は、「予想耐用回数（短期）」の更新を、更新部１３３に指示する。ステップＳ６０５において、更新部１３３は、第２のデータベース１４０を参照し、対象エリアの避雷器の「予想耐用回数（短期）」を減算し、「予想耐用回数（短期）」を更新する。具体的には、更新部１３３は、第２の雷情報が記憶された一時記憶領域を参照し、発雷の予報が出た対象エリアの全ての避雷器を抽出する。そして、更新部１３３は、落雷予測回数テーブル１４４を参照し、当該対象エリアの落雷予測回数を取得する。そして、更新部１３３は、避雷器管理テーブル１４６を参照し、抽出した避雷器の「現在の耐用回数」の値から、当該対象エリアの落雷予測回数を減算する。そして、更新部１３３は、避雷器管理テーブル１４６において、当該避雷器の「予想耐用回数（短期）」を更新する。さらに、更新部１３３は、避雷器管理テーブル１４６において、当該避雷器の判定対象フラグを立てる。そして、記憶部１２０は、更新部１３３からの指示に基づいて、避雷器管理テーブル１４６を更新する（ステップＳ６０５−１）。発雷の予報が出た、全ての対象エリアを抽出したか否かを、更新部１３３は判断する。該当する全ての対象エリアを抽出した場合には、ステップＳ６０６に遷移する。一方、該当する全ての対象エリアを抽出していない場合には、更新部１３３は、ステップＳ６０５の処理を繰り返す。
【０１２１】
ステップＳ６０６において、制御部１３０は、判定部１３４に対して、判定処理を指示する。そして、ステップＳ６０７において、判定部１３４は、避雷器管理テーブル１４６から判定対象の避雷器を抽出する。具体的には、判定部１３４は、避雷器管理テーブル１４６において、判定対象フラグの立っている避雷器を抽出する。
【０１２２】
ステップＳ６０８において、判定部１３４は、「予想耐用回数（短期）」を判定する。具体的には、「予想耐用回数（短期）」が、第２の避雷器交換条件を満たすか否かを、判定部１３４は判断する。「予想耐用回数（短期）」が、第２の避雷器交換条件を満たす場合（ステップＳ６０８のＹｅｓ分岐）には。判定部１３４は、避雷器管理テーブル１４６において、要交換フラグを立てる（ステップＳ６０９）。そして、記憶部１２０は、判定部１３４からの指示に基づいて、避雷器管理テーブル１４６を更新する。そして、ステップＳ６１０に遷移する。一方、「予想耐用回数（短期）」が第２の避雷器交換条件を満たさない場合（ステップＳ６０８のＮｏ分岐）には、ステップＳ６０８に遷移する。なお、ステップＳ６１０〜ステップＳ６１２−１の処理は、図１１に示すステップＳ５１３〜ステップＳ５１５−１の処理と同一であるため、ステップＳ６１０〜ステップＳ６１２−１についての詳細な説明は省略する。
【０１２３】
次に、「予想耐用回数（長期）」の更新処理について説明する。
【０１２４】
図１３は、「予想耐用回数（長期）」の更新処理の一例を示すフローチャートである。
【０１２５】
ステップＳ７０１において、制御部１３０は、更新部１３３に対して、「予想耐用回数（長期）」の更新を指示する。例えば、制御部１３０は、所定の第３の期間の初日に、避雷器管理テーブル１４６に登録されている避雷器を対象として、更新部１３３に対して、「予想耐用回数（長期）」の計算を指示しても良い。ここで、例えば、第３の期間が１カ月である場合、第３の期間の初日とは各月の１日目である。
【０１２６】
ステップＳ７０２において、更新部１３３は、第２のデータベース１４０を参照し、対象エリアの避雷器の「予想耐用回数（長期）」を減算し、「予想耐用回数（長期）」を更新する。そして、記憶部１２０は、更新部１３３からの指示に基づいて、避雷器管理テーブル１４６を更新する。具体的には、更新部１３３は、避雷器管理テーブル１４６に登録されている避雷器について、第２の落雷回数テーブル１４３を参照し、対象エリアの平均落雷実績回数を抽出する。そして、更新部１３３は、抽出した平均落雷実績回数を、「現在の耐用回数」から減算する。そして、更新部１３３は、避雷器管理テーブル１４６の「予想耐用回数（長期）」を更新する。そして、ステップＳ７０３に遷移する。例えば、更新部１３３が登録されている全避雷器について、「予想耐用回数（長期）」を更新した場合、ステップＳ７０３に遷移しても良い。
【０１２７】
ステップＳ７０３において、制御部１３０は、判定部１３４に対して、判定処理を指示する。そして、ステップＳ７０４において、判定部１３４は、避雷器管理テーブル１４６に登録されている避雷器を参照する。例えば。判定部１３４は、避雷器管理テーブル１４６に登録されている全避雷器を参照する。
【０１２８】
ステップＳ７０５において、判定部１３４は、「予想耐用回数（長期）」を判定する。具体的には、「予想耐用回数（長期）」が第３の避雷器交換条件を満たすか否かを、判定部１３４は判断する。「予想耐用回数（長期）」が第３の避雷器交換条件を満たす場合（ステップＳ７０５のＹｅｓ分岐）には、判定部１３４は、避雷器管理テーブル１４６において、当該避雷器の要交換フラグを立てる(ステップＳ７０６)。そして、記憶部１２０は、判定部１３４の指示に基づいて、避雷器管理テーブル１４６を更新する。そして、ステップＳ７０７に遷移する。一方、「予想耐用回数（長期）」が第３の避雷器交換条件を満たさない場合（ステップＳ７０５のＮｏ分岐）には、判定対象の避雷器を変更し、ステップＳ７０５の処理を繰り返す。なお、ステップＳ７０７〜ステップＳ７０９−１の処理は、図１１に示すステップＳ５１３〜ステップＳ５１５−１の処理と同一であるため、ステップＳ７０７〜ステップＳ７０９−１の処理については、詳細な説明は省略する。
【０１２９】
［変形例１］
本実施形態に係る管理システム１０００の変形例１として、第１の雷情報が、各エリアにおける、所定の第３の期間毎の落雷回数を含む場合、管理装置１００は、その情報を利用しても良い。また、第１の雷情報が、各エリアにおける、所定の第３の期間毎の落雷回数の統計値を含む場合、管理装置１００はその情報を利用しても良い。例えば、気象情報サイトが、各エリアにおける、所定の第３の期間毎の落雷回数、及び／又は落雷回数の統計値を提供している場合、管理装置１００は、それらの情報を取得しても良い。そして、管理装置１００は、取得した所定の第３の期間毎の落雷回数、及び／又は落雷回数の統計値に基づいて、第１の落雷回数テーブル１４２、第２の落雷回数テーブル１４３を生成しても良い。
【０１３０】
以上のように、本実施形態に係る管理装置１００は、気象情報サイト等から１又は２以上のエリアの落雷に関する情報を取得する。そして、本実施形態に係る管理装置１００は、取得した落雷に関する情報に基づいて、避雷器として登録された、１又は２以上の避雷器の耐用回数を算出する。ここで、本実施形態に係る管理システム１０００においては、落雷を検出する機能を有さない避雷器であっても、本実施形態に係る管理装置１００の管理対象とすることが可能である。さらに、本実施形態に係る管理システム１０００においては、本実施形態に係る管理装置１００の管理対象とするために、特定の機能を避雷器に追加する必要がない。従って、本実施形態に係る管理システム１０００は、避雷器の寿命を容易に管理することに貢献する。
【０１３１】
また、本実施形態に係る管理装置１００は、落雷予報に基づいて、将来的な耐用回数を算出する。そして、本実施形態に係る管理装置１００は、算出された将来的な耐用回数に基づいて、避雷器の交換の要否を判定する。そして、本実施形態に係る管理装置１００は、将来的な耐用回数に基づいて要交換と判定した場合、ユーザ端末３００に避雷器の交換が必要であることを通知する。従って、本実施形態に係る管理システム１０００は、避雷器が故障する可能性を低減することに貢献する。
【０１３２】
また、本実施形態に係る管理装置１００は、所定の期間（例えば、１ヶ月）毎の落雷回数を蓄積する。そして、本実施形態に係る管理装置１００は、所定の期間毎の落雷回数の統計値を算出する。そして、本実施形態に係る管理装置１００は、算出された落雷回数の統計値に基づいて、避雷器の交換の要否を判定する。従って、本実施形態に係る管理システム１０００は、落雷回数が増大する時期を把握することに貢献すると共に、避雷器の交換が必要であることを、適切に通知することに貢献する。
【０１３３】
また、本実施形態に係る管理システム１０００においては、避雷器の管理者が、各避雷器の設置場所に行き、現地で避雷器の状態を確認する必要がない。従って、本実施形態に係る管理システム１０００は、効率的に避雷器を管理することに貢献する。
【０１３４】
また、避雷器の管理者が現地で避雷器の状態を確認する場合、確認漏れ等の人的ミス（所謂、ヒューマンエラー）が発生する恐れがある。しかし、本実施形態に係る管理システム１０００においては、本実施形態に係る管理装置１００が耐用回数を算出し、避雷器交換を通知する。従って、本実施形態に係る管理システム１０００は、避雷器の管理において、人的ミスを低減することに貢献する。
【０１３５】
上述の実施形態の一部又は全部は、以下の付記のようにも記載され得るが、以下には限られない。
【０１３６】
（付記１）上記第１の視点に係る管理装置の通りである。
【０１３７】
（付記２）前記第１の雷情報は、第１の期間における、１又は２以上のエリアに対応する落雷実績情報、前記第１の期間とは異なる第２の期間に対応する落雷予報情報の少なくともいずれかを含み、前記第２の雷情報は、前記第１の期間における、前記対象エリアに対応する落雷実績情報、前記第２の期間に対応する落雷予報情報の少なくともいずれかを含む、付記１に記載の管理装置。
【０１３８】
（付記３）前記耐用回数と、予め定めた避雷器交換条件とに基づいて、避雷器交換の要否を判定する、判定部と、前記判定部の判定結果に基づいて、前記避雷器交換の通知を制御する、通知機能部と、をさらに備える、付記２に記載の管理装置。
【０１３９】
（付記４）前記記憶部は、前記各避雷器に対応する第１の前記耐用回数をさらに記憶し、前記更新部は、前記各避雷器に対応する前記第１の耐用回数と、前記第２の雷情報に含まれる前記第１の期間での落雷回数との差分を、前記避雷器毎に算出し、当該各避雷器の前記第１の耐用回数を更新し、前記判定部は、更新された前記第１の耐用回数と、第１の前記避雷器交換条件に基づいて、避雷器交換の要否を判定する、付記３に記載の管理装置。
【０１４０】
（付記５）前記記憶部は、落雷予測回数テーブルと、前記各避雷器に対応する第２の前記耐用回数と、をさらに記憶し、前記落雷予測回数テーブルは、前記第１の雷情報に含まれる、前記第２の期間に対応する落雷予報と、前記第２の期間における落雷予測回数とを対応付けたテーブルであり、前記更新部は、前記各避雷器に対応する前記第２の耐用回数と、前記落雷予測回数と、に基づいて、当該各避雷器の前記第２の耐用回数を更新し、前記判定部は、更新された前記第２の耐用回数と、第２の前記避雷器交換条件に基づいて、避雷器交換の要否を判定する、付記３又は４に記載の管理装置。
【０１４１】
（付記６）前記記憶部は、第１の落雷回数テーブルをさらに記憶し、前記第１の落雷回数テーブルは、前記第１の期間より長く、かつ前記第２の期間より長い第３の期間毎の落雷回数を、前記対象エリア毎に蓄積したテーブルであり、前記情報生成部は、前記第２の雷情報に含まれる落雷回数と、前記第１の落雷回数テーブルに含まれる第３の期間での落雷回数との合計を、前記対象エリア毎に算出し、前記第１の落雷回数テーブルを更新する、付記３乃至５のいずれか一に記載の管理装置。
【０１４２】
（付記７）前記記憶部は、第２の落雷回数テーブルと、前記各避雷器に対応する第３の前記耐用回数と、を記憶し、前記第２の落雷回数テーブルは、前記第１の落雷回数テーブルに格納された落雷回数の統計値を含むテーブルであり、前記更新部は、前記第３の耐用回数と、前記統計値と、に基づいて、前記第３の耐用回数を更新し、前記判定部は、更新された前記第３の耐用回数と、第３の前記避雷器交換条件に基づいて、避雷器交換の要否を判定する、付記６に記載の管理装置。
【０１４３】
（付記８）上記第２の視点に係る管理システムの通りである。
【０１４４】
（付記９）上記第３の視点に係る管理方法の通りである。
【０１４５】
（付記１０）前記耐用回数と、予め定めた避雷器交換条件とに基づいて、避雷器交換の要否を判定する、判定工程と、前記判定工程における判定結果に基づいて、前記避雷器交換の通知を制御する、通知機能工程と、をさらに含む、付記９に記載の管理方法。
【０１４６】
（付記１１）前記記憶工程において、前記各避雷器に対応する第１の前記耐用回数をさらに記憶し、前記更新工程において、前記各避雷器に対応する前記第１の耐用回数と、前記第２の雷情報に含まれる前記第１の期間での落雷回数との差分を、前記避雷器毎に算出し、当該各避雷器の前記第１の耐用回数を更新し、前記判定工程において、更新された前記第１の耐用回数と、第１の前記避雷器交換条件に基づいて、避雷器交換の要否を判定する、付記１０に記載の管理方法。
【０１４７】
（付記１２）前記記憶工程において、落雷予測回数テーブルと、前記各避雷器に対応する第２の前記耐用回数と、をさらに記憶し、前記落雷予測回数テーブルは、前記第１の雷情報に含まれる、前記第２の期間に対応する落雷予報と、前記第２の期間における落雷予測回数とを対応付けたテーブルであり、前記更新工程において、前記各避雷器に対応する前記第２の耐用回数と、前記落雷予測回数と、に基づいて、当該各避雷器の前記第２の耐用回数を更新し、前記判定工程において、更新された前記第２の耐用回数と、第２の前記避雷器交換条件に基づいて、避雷器交換の要否を判定する、付記１０又は１１に記載の管理方法。
【０１４８】
（付記１３）前記記憶工程において、第１の落雷回数テーブルをさらに記憶し、前記第１の落雷回数テーブルは、前記第１の期間より長く、かつ前記第２の期間より長い第３の期間毎の落雷回数を、前記対象エリア毎に蓄積したテーブルであり、前記情報生成工程において、前記第２の雷情報に含まれる落雷回数と、前記第１の落雷回数テーブルに含まれる第３の期間での落雷回数との合計を、前記対象エリア毎に算出し、前記第１の落雷回数テーブルを更新する、付記１０乃至１２のいずれか一に記載の管理方法。
【０１４９】
（付記１４）前記記憶工程において、第２の落雷回数テーブルと、前記各避雷器に対応する第３の前記耐用回数と、を記憶し、前記第２の落雷回数テーブルは、前記第１の落雷回数テーブルに格納された落雷回数の統計値を含むテーブルであり、前記更新工程において、前記第３の耐用回数と、前記統計値と、に基づいて、前記第３の耐用回数を更新し、前記判定工程において、更新された前記第３の耐用回数と、第３の前記避雷器交換条件に基づいて、避雷器交換の要否を判定する、付記１３に記載の管理方法。
【０１５０】
（付記１５）上記第４の視点に係るプログラムの通りである。
【０１５１】
（付記１６）前記耐用回数と、予め定めた避雷器交換条件とに基づいて、避雷器交換の要否を判定する、判定処理と、前記判定工程における判定結果に基づいて、前記避雷器交換の通知を制御する、通知機能処理と、をさらに実行する、付記１５に記載のプログラム。
【０１５２】
（付記１７）前記記憶処理において、前記各避雷器に対応する第１の前記耐用回数をさらに記憶し、前記更新処理において、前記各避雷器に対応する前記第１の耐用回数と、前記第２の雷情報に含まれる前記第１の期間での落雷回数との差分を、前記避雷器毎に算出し、当該各避雷器の前記第１の耐用回数を更新し、前記判定工程において、更新された前記第１の耐用回数と、第１の前記避雷器交換条件に基づいて、避雷器交換の要否を判定する、付記１６に記載のプログラム。
【０１５３】
（付記１８）前記記憶処理において、落雷予測回数テーブルと、前記各避雷器に対応する第２の前記耐用回数と、をさらに記憶し、前記落雷予測回数テーブルは、前記第１の雷情報に含まれる、前記第２の期間に対応する落雷予報と、前記第２の期間における落雷予測回数とを対応付けたテーブルであり、前記更新処理において、前記各避雷器に対応する前記第２の耐用回数と、前記落雷予測回数と、に基づいて、当該各避雷器の前記第２の耐用回数を更新し、前記判定工程において、更新された前記第２の耐用回数と、第２の前記避雷器交換条件に基づいて、避雷器交換の要否を判定する、付記１６又は１７に記載のプログラム。
【０１５４】
（付記１９）前記記憶処理において、第１の落雷回数テーブルをさらに記憶し、前記第１の落雷回数テーブルは、前記第１の期間より長く、かつ前記第２の期間より長い第３の期間毎の落雷回数を、前記対象エリア毎に蓄積したテーブルであり、前記情報生成処理において、前記第２の雷情報に含まれる落雷回数と、前記第１の落雷回数テーブルに含まれる第３の期間での落雷回数との合計を、前記対象エリア毎に算出し、前記第１の落雷回数テーブルを更新する、付記１６乃至１８のいずれか一に記載のプログラム。
【０１５５】
（付記２０）前記記憶処理において、第２の落雷回数テーブルと、前記各避雷器に対応する第３の前記耐用回数と、を記憶し、前記第２の落雷回数テーブルは、前記第１の落雷回数テーブルに格納された落雷回数の統計値を含むテーブルであり、前記更新処理において、前記第３の耐用回数と、前記統計値と、に基づいて、前記第３の耐用回数を更新し、前記判定処理において、更新された前記第３の耐用回数と、第３の前記避雷器交換条件に基づいて、避雷器交換の要否を判定する、付記１９に記載のプログラム。
【０１５６】
なお、上記の特許文献の開示を、本書に引用をもって繰り込むものとする。本発明の全開示（請求の範囲を含む）の枠内において、さらにその基本的技術思想に基づいて、実施形態の変更・調整が可能である。また、本発明の全開示の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【０１５７】
１、１００  管理装置
１０、１２０  記憶部
１１、１３１  情報取得部
１２、１３２  情報生成部
１３、１３３  更新部
１１０  通信部
１３０  制御部
１３４  判定部
１３５  通知機能部
１４０  第２のデータベース
１４１  避雷器情報テーブル
１４２  第１の落雷回数テーブル
１４３  第２の落雷回数テーブル
１４４  落雷予測回数テーブル
１４５  ユーザ情報テーブル
１４６  避雷器管理テーブル
２００  データベースサーバ装置
２０１  第１のデータベース
３００  ユーザ端末
４００  ネットワーク
１０００  管理システム
【図１】
0006008407.tif 000005
【図２】
0006008407.tif 000006
【図３】
0006008407.tif 000007
【図４】
0006008407.tif 000008
【図５】
0006008407.tif 000009
【図６】
0006008407.tif 000010
【図７】
0006008407.tif 000011
【図８】
0006008407.tif 000012
【図９】
0006008407.tif 000013
【図１０】
0006008407.tif 000014
【図１１】
0006008407.tif 000015
【図１２】
0006008407.tif 000016
【図１３】
0006008407.tif 000017